(57)【要約】【課題】遠隔設置されていても、機械的手段で操作可能なプロジェクタを提供する。【解決手段】光源部から射出された光束を画像信号に応じて変調し形成した画像光を投射するプロジェクタ１であって、天井に天吊り設置された筐体であるカバー外装２および基部外装３と、画像光の投射のために筐体に設けられた投射開口７と、投射開口７を開放または閉止するための開閉扉８と、開閉扉８を開閉作動させるための開閉機構部と、電源の投入または切断をするためのスイッチ部と、開閉機構部およびスイッチ部を遠隔操作するために筐体から床方向へ垂れ下がったスイッチ紐１１と、を有することを特徴とする。【選択図】図１
2009198538.tif 000002
【特許請求の範囲】
【請求項１】
光源部から射出された光束を画像信号に応じて変調し形成した画像光を投射するプロジェクタであって、
筐体と、
前記画像光の投射のために前記筐体に設けられた開口部と、
前記開口部を開放または閉止するための開閉扉と、
前記開閉扉を開閉作動させるための開閉機構部と、
電源の投入または切断をするためのスイッチ部と、
前記開閉機構部および前記スイッチ部を遠隔操作するための紐状部と、を有することを特徴とするプロジェクタ。
【請求項２】
請求項１に記載のプロジェクタにおいて、
前記紐状部は、前記筐体から所定長さだけ引き出されて延在し、引張操作が付与されると前記遠隔操作をすることを特徴とするプロジェクタ。
【請求項３】
請求項１または２に記載のプロジェクタにおいて、
天吊り設置されることが可能な構成を備えていることを特徴とするプロジェクタ。
【請求項４】
請求項１から３のいずれか一項に記載のプロジェクタにおいて、
前記開閉扉の開または閉を検出するための開閉検出部と、
前記スイッチ部による前記電源の投入または切断を検出するためのスイッチ検出部と、をさらに有することを特徴とするプロジェクタ。
【請求項５】
請求項１から４のいずれか一項に記載のプロジェクタにおいて、
前記開閉扉の開が検出され且つ前記電源の投入が検出されると前記光源部を点灯し、
前記開閉扉の閉が検出されると光源ランプを消灯し、所定のクールダウンの後、前記電源を切断する制御を実行する制御部を、さらに有することを特徴とするプロジェクタ。
【発明の詳細な説明】
【技術分野】
【０００１】
本発明は、遠隔位置からの操作を可能にする機構を備えたプロジェクタに関する。
【背景技術】
【０００２】
従来、画像の投射口にシャッタを備えたプロジェクタにおいて、電源、ランプ、冷却ファンのそれぞれを効果的に制御するために、ユーザによるシャッタの開閉に連動して、電源のオン・オフと、ランプの点灯・消灯と、冷却ファンによる冷却の開始・停止とが行われるようにした機構が知られている。この機構によれば、ユーザがシャッタを開けると、電源のオンに伴い、ランプの点灯および冷却ファンによる冷却が開始され、プロジェクタが起動する。また、ユーザがシャッタを閉じると、ランプの消灯と、冷却ファンによるクールダウンとが行われ、クールダウンの終了後に電源がオフになり、プロジェクタが停止する。このように、ユーザがシャッタを直接開閉するため、開閉機構がシンプルであり、さらに、クールダウンを含めプロジェクタの起動および停止を簡単且つ手軽に制御することが可能である（例えば特許文献１）。
【０００３】
【特許文献１】特開２００７−１７１８８５号公報
【発明の開示】
【発明が解決しようとする課題】
【０００４】
しかし、従来の技術では、プロジェクタが天吊り等のように遠隔設置されている場合、ユーザがシャッタを直接開閉することは困難である、という課題があった。
【課題を解決するための手段】
【０００５】
本発明は、上記課題の少なくとも一部を解決するためになされたものであり、以下の適用例または形態として実現することが可能である。
【０００６】
［適用例１］本適用例に係るプロジェクタは、光源部から射出された光束を画像信号に応じて変調し形成した画像光を投射するものであって、筐体と、前記画像光の投射のために前記筐体に設けられた開口部と、前記開口部を開放または閉止するための開閉扉と、前記開閉扉を開閉作動させるための開閉機構部と、電源の投入または切断をするためのスイッチ部と、前記開閉機構部および前記スイッチ部を遠隔操作するための紐状部と、を有することを特徴とする。
【０００７】
このプロジェクタによれば、開閉扉の開閉と、スイッチ部による電源の投入または切断と、を紐状部によって操作する構成を備えている。紐状部を介しての操作が可能であることにより、プロジェクタの使用者は、筺体から離れた位置にいるままで、プロジェクタを稼動開始させることおよび稼動停止させることが可能である。つまり、プロジェクタを機械的に遠隔操作することが可能である。紐状部による機械的な遠隔操作によれば、無線等による他の遠隔操作に比べ、付加機構がほとんど不要であって、非常に簡便な機構である。また、プロジェクタが稼働していない時には、開閉扉を確実に閉止することができ、画像光を投射するための投射部への異物進入を防止して保護することが可能である。
【０００８】
［適用例２］上記適用例に係るプロジェクタにおいて、前記紐状部は、前記筐体から所定長さだけ引き出されて延在し、引張操作が付与されると前記遠隔操作をすることが好ましい。
【０００９】
この構成によれば、紐状部は、プロジェクタの使用者が遠隔操作しやすいように、所定長さだけ筺体から引き出されている。使用者が遠隔位置において紐状部を引っ張ると、開閉機構部およびスイッチ部を操作でき、プロジェクタの稼動を開始または停止することが可能である。このように、紐状部を引張操作の付与によって機械的に機能させるため、使用者は、遠隔のプロジェクタへ操作したことを、プロジェクタと直結した形態で体感することができ、確実に操作したことの確認が遠隔位置からでも容易に行える。
【００１０】
［適用例３］上記適用例に係るプロジェクタにおいて、天吊り設置されることが可能な構成を備えていることが好ましい。
【００１１】
この構成によれば、プロジェクタを会議室等の部屋の天井に設置する、いわゆる天吊り設置することができる。天吊り設置された状態では、紐状部は、天井近傍の筺体から床方向へ垂れ下がることになる。この場合、紐状部の床側の端部は、使用者が天吊り設置の筺体の操作部を直接操作する場合に比べ、引張操作をたいへん容易に行える位置にある。そのため、使用者は、天吊り設置のプロジェクタを、床設置の場合とほぼ同様に、簡単に操作することが可能となる。
【００１２】
［適用例４］上記適用例に係るプロジェクタは、前記開閉扉の開または閉を検出するための開閉検出部と、前記スイッチ部による前記電源の投入または切断を検出するためのスイッチ検出部と、をさらに有することが好ましい。
【００１３】
この構成によれば、開閉検出部およびスイッチ検出部により、紐状部の引っ張りに対応して、開閉扉とスイッチ部とがそれぞれ所定の機能を果たしたか否かを検出することが可能である。これにより、開閉扉の開または閉、およびスイッチ部による電源の投入または切断が、確実に確認でき、プロジェクタを正常な状態で稼動開始または稼動停止させることが可能である。
【００１４】
［適用例５］上記適用例に係るプロジェクタは、前記開閉扉の開が検出され且つ前記電源の投入が検出されると前記光源部を点灯し、前記開閉扉の閉が検出されると光源ランプを消灯し、所定のクールダウンの後、前記電源を切断する制御を実行する制御部を、さらに有することが好ましい。
【００１５】
この構成によれば、制御部は、開閉扉と電源と光源部とのそれぞれの状態を制御し、開閉扉の開および電源の投入により光源部を点灯して、プロジェクタの稼動を開始させる。そして、開閉扉の閉およびプロジェクタを冷却するクールダウンの終了後、電源を切断して、プロジェクタの稼動を停止させる。このように、制御部は、紐状部の引張操作に対応して、プロジェクタの稼動の制御を確実に実行する機能を果たす。
【発明を実施するための最良の形態】
【００１６】
以下、プロジェクタの具体的な実施形態について図面に従って説明する。本実施形態のプロジェクタは、遠隔位置から機械的手段で操作可能なことを特徴とする。
（実施形態）
【００１７】
図１は、本実施形態に係るプロジェクタを天吊り設置した状態を示す斜視図であり、部屋の天井に天吊り設置されたプロジェクタ１を床側から見た図である。また、図２（ａ）は、天吊り設置され開閉扉が開いた状態のプロジェクタを天井側から見た斜視図、図２（ｂ）は、開閉扉が閉じた状態のプロジェクタを示す斜視図である。図１に示すように、プロジェクタ１は、略直方体形状の外観をなしていて、プロジェクタ１の機構部を収容するための筐体であるカバー外装２と、基部外装３と、を有している。
【００１８】
カバー外装２は、天吊り設置されたプロジェクタ１の筐体の床と対向する側に位置し、床対向面、正面、背面、右側面および左側面を形成している。カバー外装２の床対向面には、背面側右方に位置し、光源部の光源ランプを交換するために開閉可能な光源蓋２ａと、略中央部に位置しプロジェクタ１を操作するための操作ボタン類を有する操作部２ｂと、が設けられている。また、カバー外装２の正面側左方には、投射部４５からの光束が通過して画像光を投射するための投射開口（開口部）７が設けられ、投射開口７の近傍から床方向へスイッチ紐（紐状部）１１が垂れ下がっている。スイッチ紐１１は、柔軟性を有する合成樹脂の撚糸であって、プロジェクタ１の使用者の引張操作によって、プロジェクタ１を稼動開始または稼動停止するためのものであり、天井の高さに対応して所定の長さに設定されている。
【００１９】
そして、基部外装３は、天吊り設置されたプロジェクタ１の筐体の天井側に位置し、プロジェクタ１の正面、右側面、左側面、背面および天吊り面３ａ（図２）を形成している。基部外装３は、投射開口７の一部を形成していて、この投射開口７近傍に一端を回転自在に軸止され投射開口７全域の開放または閉止をするための開閉扉８を有し、さらに、右側面に位置し機構部を冷却した冷却空気を排気するための排気口６と、天吊り面３ａに位置しプロジェクタ１を天吊り設置するための天吊り機構部９と、を有している。図１における開閉扉８は、投射開口７を開放した状態であり、投射開口７に対して庇状をなしている。このような構成のプロジェクタ１は、画像光の投射されるスクリーン等が画像を見る側と同じ側に設置されるいわゆるフロントタイプに属するものである。
【００２０】
次に、図２（ａ）および図２（ｂ）に示すように、基部外装３の天吊り面３ａには、天吊り機構部９と、投射部４５の直近にあって機構部を冷却するための冷却空気を筐体の内部へ取り入れるための吸気口５と、正面側中央、背面側右方および背面側左方に位置し、プロジェクタ１の床設置時において、投射部４５から投射される画像の上下方向の煽りと水平方向の傾きとを調整するための３本の脚部１０と、が設けられている。
【００２１】
また、プロジェクタ１を天吊り設置するための天吊り機構部９は、天井に固定された支柱部９１と、プロジェクタ１の天吊り面３ａに固定ボルト９６で固定され、さらに支柱部９１に連結された連結部９２と、を有している。これら支柱部９１と連結部９２とは、連結ピン９３によって回動可能に連結されている。また、連結部９２には、連結ピン９３の位置を中心とする円弧状の調整長孔９４が設けられていて、支柱部９１を貫通する調整ボルト９５を調整長孔９４の任意位置へ固定することにより、支柱部９１と連結部９２との回動を調整することができる。これにより、天吊り設置時において、プロジェクタ１の上下方向の煽りが調整できる。
【００２２】
そして、開閉扉８は、図２（ａ）に示すように、スイッチ紐１１の床方向への引張操作により開かれると投射開口７を開放し、投射部４５から画像光の投射が可能となり、また、図２（ｂ）に示すように、スイッチ紐１１のさらなる引張操作により閉じられると投射開口７を閉止する。投射開口７の閉止により、プロジェクタ１の稼働停止時において、投射部４５への異物の進入を防止することができる。
【００２３】
次に、プロジェクタ１の筺体の内部に収容されている機構部について説明する。図３は、プロジェクタの機構部を示す斜視図である。図３は、図１および図２と異なり、プロジェクタ１の上下を反転した状態で描かれている。この図３に示すように、プロジェクタ１は、筺体の内部に、吸気口５（図２）から冷却空気を吸引して取り入れるための２つの吸気ファン１５（１５ａ，１５ｂ）と、一方の吸気ファン１５ａが取り込んだ冷却空気を機構部へ導くためのダクト１７と、他方の吸気ファン１５ｂが取り込んだ冷却空気を機構部へ導くためのダクト（不図示）と、を有している。
【００２４】
そして、投射部４５の正面側には、開閉扉８が設けられており、吸気ファン１５ａの正面側には、スイッチ紐１１と紐係合片３１を介して連結された開閉部３０が設けられている。開閉部３０は、スイッチ紐１１の引張操作に連動して電源の投入または切断をするスイッチ部３２と、スイッチ部３２の電源の投入または切断を検出するスイッチ検出部３３と、スイッチ紐１１の引張操作に連動して開閉扉８を開閉する開閉機構部３４と、開閉扉８の開閉を検出する開閉検出部３５と、を内部に有している。このような開閉部３０の詳細については、図４および図５を参照して後述する。
【００２５】
また、プロジェクタ１は、２つの吸気ファン１５ａ，１５ｂの間に位置する投射部４５と、基部外装３を正面から見て正面左方にあって一端が排気口６（６ｂ）と対向して位置する電源部１８と、電源部１８の背面側に排気口６（６ａ）に対して斜めに対向して位置する排気ファン１６と、排気ファン１６から投射部４５にかけて、図３における上面側から見て略Ｌ字状に配置された光学ユニット４（４１，４２，４３，４４，４５）と、光学ユニット４の背面側に設けられたスピーカ１９と、光学ユニット４の上方に設けられた制御基板２０と、制御基板２０の背面側に設けられ、外部機器とプロジェクタ１とを接続するための数種の端子類を有するコネクタ部２１と、を有している。なお、プロジェクタ１において、吸気ファン１５、排気ファン１６および２つのダクトは、機構部を冷却するための冷却部として機能する。
【００２６】
さらに、プロジェクタ１の機構部の主要部である光学ユニット４は、排気ファン１６の近傍にあり光源部を有するインテグレータ照明部４１と、色分離部４２と、リレー光学部４３と、３枚の液晶パネル（不図示）を光学変調素子として有する光学変調部４４と、光学変調部４４に接続されている投射部４５と、で構成されている。このような構成の光学ユニット４は、略Ｌ字状の支持体に収容されて、基部外装３の内底面に載置されている。
【００２７】
この光学ユニット４の機能について説明する。インテグレータ照明部４１は、光源部の光源ランプから光束を射出し、光学変調部４４において、赤、緑、青の色光にそれぞれ対応して設けられている３枚の液晶パネルの画像形成領域を、光束がほぼ均一に照明するための光学系である。また、色分離部４２は、インテグレータ照明部４１から射出された光束を赤、緑、青の３色の色光に分離するための光学系である。次のリレー光学部４３は、色分離部４２で分離された色光の内、液晶パネルまでの経路の長い色光を導く機能を有する光学系であり、この場合赤色光がリレー光学部４３へ導かれている。そして、光学変調部４４は、３枚の液晶パネルによって、それぞれの色光を画像情報に応じて変調して光学像を形成し、さらに、クロスダイクロイックプリズムによって、色光毎に変調された光学像を合成してカラー画像を形成するための光学系である。このようにして形成されたカラー画像を含む画像光は、投射部４５によって拡大して投射され、スクリーンに映像として映し出される。
【００２８】
次に、開閉部３０の詳細について説明する。図４は、開閉部の構成を示す斜視図である。図４に示すように、開閉部３０は、電源を投入または切断するスイッチ部３２と、開閉扉８を回転自在に軸支する開閉機構部３４と、を有している。この場合、開閉機構部３４が投射開口７の基部外装３（図３）の側に位置する。また、開閉部３０は、一端が開閉部３０より突き出てスイッチ紐１１と係合し、引張操作されるスイッチ紐１１と連動して引張操作方向へ移動する紐係合片３１を有している。この紐係合片３１は、スイッチ部３２内を移動するように構成されていて、スイッチ紐１１の引張操作に対応して、スイッチ部３２による電源の投入と切断とを交互に繰り返して行わせる。さらに、スイッチ部３２は、スイッチ紐１１の引張操作で電源の投入または切断が行われた後、次の引張操作が行われるまで、紐係合片３１を一時固定する機能を有する。そして、スイッチ部３２には、電源の投入または切断を検出するスイッチ検出部３３が設けられている。
【００２９】
開閉機構部３４は、開閉扉８を回転させるために開閉扉８と一体に形成された扉軸１３を軸支しており、扉軸１３には、バネの付勢によって開閉扉８を閉じる方向の回転が付勢されている。また、扉軸１３は、紐係合片３１の他端と係合している軸紐１２が巻かれていて、スイッチ紐１１が引かれると、開閉扉８を開く方向へ回転する。つまり、スイッチ紐１１が引かれると、紐係合片３１が移動し電源の投入がなされ、さらに、軸紐１２によって扉軸１３が回転して開閉扉８が開かれた状態となり、開閉部３０および開閉扉８は、この状態で固定される。そして、再度、スイッチ紐１１が引かれると、紐係合片３１の固定が解除され、扉軸１３が開閉扉８を閉じる方向へ回転して投射開口７が閉止され、電源の切断が可能になる。また、開閉機構部３４には、開閉扉８の開または閉を検出する開閉検出部３５が設けられている。このように、開閉部３０によって、スイッチ紐１１の引張操作に対応して、電源の投入および切断と、開閉扉８の開および閉と、が的確に行われる。
【００３０】
この開閉部３０による開閉扉８の開閉の状態をさらに詳細に説明する。図５（ａ）は、開閉部が開閉扉を閉じた状態を示す断面図、図５（ｂ）は、開閉部が開閉扉を開けた状態を示す断面図である。プロジェクタ１が稼働していない場合、図５（ａ）に示すように、バネによって付勢された扉軸１３により、開閉扉８は、閉じられている。この状態において、紐係合片３１は、スイッチ部３２に電源を切断させる位置にある。プロジェクタ１が稼働している場合において、スイッチ紐１１の引張操作により紐係合片３１がこの位置に移動すると、スイッチ部３２は、光源ランプの消灯および消灯後の機構部の冷却であるクールダウンが行われた後に、電源を切断する機能を果たす。これにより、プロジェクタ１は、完全に稼働を停止する。
【００３１】
稼働停止したプロジェクタ１を再度稼働させる場合、図５（ｂ）に示すように、スイッチ紐１１を基部外装３からカバー外装２の方向へ引っ張る。スイッチ紐１１の引張操作により、扉軸１３は、軸紐１２によってバネ付勢に抗して回転させられ、開閉扉８を開く。同時に、紐係合片３１は、スイッチ部３２内を移動し、スイッチ部３２に電源を投入させる位置まで達する。この位置において、開閉扉８は、投射開口７を開放しており、プロジェクタ１は、投射部４５からスクリーンへの画像光の投射が可能である。なお、紐係合片３１が、開閉扉８の開および電源投入の位置に達した場合と、開閉扉８の閉および電源切断の位置に達した場合とには、それぞれの位置に達したことを示すためにクリック感が生じる設定となっている。
【００３２】
このような構成のプロジェクタ１は、制御部によって稼働を制御されており、以下にその詳細について説明する。図６は、制御部の構成を示すブロック図である。プロジェクタ１の制御部５０は、制御基板２０（図３）に実装されていて、プロジェクタ１を総合的に制御するＣＰＵ（Central  Processing  Unit）５１と、ＣＰＵ５１が参照して各種処理を実行するためのプログラム等を格納しているＲＯＭ（Read  Only  Memory）５２と、光学ユニット４および電源部１８の稼働を制御するユニット制御部５３と、操作部２ｂおよびコネクタ部２１の入出力を制御する入出力制御部５４と、を有している。
【００３３】
さらに、制御部５０は、既述したように、開閉扉８を開閉させる開閉機構部３４の駆動を制御する開閉制御部５５と、スイッチ部３２による電源の投入または切断を検出するスイッチ検出部３３、および、開閉扉８の開または閉を検出する開閉検出部３５、による検出の制御をする検出制御部５６と、を有している。以下に、制御部５０の機能について具体的に説明する。
【００３４】
まず、プロジェクタ１の電源が入れられ、稼働を開始する場合に、制御部５０が実行するフローについて説明する。図７は、プロジェクタを稼働開始させる時の手順を示すフローチャートである。まず、ステップＳ１において、スイッチ紐１１の引張操作を検出する。具体的には、プロジェクタ１の使用者がスイッチ紐１１を引っ張って、紐係合片３１がスイッチ部３２における電源の投入可能位置にあることを、検出制御部５６がスイッチ検出部３３から受信する。このとき、スイッチ紐１１を操作する使用者には、クリック感が伝わり、使用者は、プロジェクタ１を稼働させるための引張操作の完了を確認できる。引張操作の検出後、ステップＳ２へ進む。
【００３５】
ステップＳ２において、開閉扉８が開いたか否かを判断する。開閉扉８は、開閉制御部５５が開閉機構部３４に指示することにより開かれ、開閉扉８が開いたか否かの判断は、開閉検出部３５が検出した開閉扉８の開情報を、検出制御部５６を介して、ＣＰＵ５１が受信して行われる。開閉扉８が開いていることを検出すれば、ステップＳ３へ進み、一方、開閉扉８が開いていないことを検出すれば、ステップＳ２においてループして、開閉扉８の開くのを待つ。
【００３６】
開閉扉８が開いている場合、ステップＳ３において、開閉扉８を開状態にロックする。つまり、図５（ｂ）に示すように、スイッチ部３２が紐係合片３１を一時的にロック状態に固定する。開閉扉８のロック後、ステップＳ４へ進む。
【００３７】
ステップＳ４において、プロジェクタ１の電源を投入する。電源の投入は、ＣＰＵ５１が検出制御部５６からのスイッチ部３２の電源投入可能な状態を示す信号と、開閉制御部５５からの開閉扉８の開状態を示す信号と、を受けてユニット制御部５３へ指示する。ユニット制御部５３は、電源部１８へ電源の投入を指示する制御を行う。電源の投入後、ステップＳ５へ進む。
【００３８】
ステップＳ５において、光源ランプを点灯する。光源ランプの点灯は、ユニット制御部５３が光学ユニット４へ指示して行われる。これで、プロジェクタ１は、投射部４５から画像光の投射を開始することができる。以上で、プロジェクタ１が稼働を開始する場合のフローが終了する。
【００３９】
次に、プロジェクタ１の稼働中に、稼動停止のためにスイッチ紐１１が引かれた場合において、制御部５０が実行するフローについて説明する。図８は、プロジェクタを稼働停止させる時の手順を示すフローチャートである。まず、ステップＳ１０において、スイッチ紐１１の引張操作を検出する。これは、スイッチ部３２において紐係合片３１が移動し、スイッチ紐１１が引かれ始めたことを、スイッチ検出部３３を介して検出制御部５６が検出する。検出後、ステップＳ１１へ進む。
【００４０】
ステップＳ１１において、開閉扉８のロックを解除する。この解除は、開閉制御部５５が開閉機構部３４へ指示して行われる。これにより、扉軸１３は、バネの付勢により開閉扉８を閉じる方向へ回転することが可能になる。ロックの解除後、ステップＳ１２へ進む。
【００４１】
ステップＳ１２において、開閉扉８が閉じたか否かを判断する。開閉扉８は、開閉制御部５５が開閉機構部３４に指示して閉じられ、開閉扉８が閉じたか否かの判断は、開閉検出部３５が検出した開閉扉８の閉状態を、検出制御部５６を介して、ＣＰＵ５１が受信して行われる。開閉扉８が閉じていることを検出すれば、ステップＳ１３へ進み、一方、開閉扉８が閉じていないことを検出すれば、ステップＳ１１へ戻る。
【００４２】
開閉扉８が閉じていれば、ステップＳ１３において、光源ランプを消灯する。光源ランプの消灯は、ユニット制御部５３が光学ユニット４へ指示して行われる。消灯後、ステップＳ１４へ進む。
【００４３】
ステップＳ１４において、クールダウンが終了したか否かを判断する。クールダウンは、プロジェクタ１を停止させるときに、光源ランプをはじめとする機構部を冷却部によって十分冷却する作業である。クールダウンを行うことにより、プロジェクタ１は、冷却部が停止しても余熱の影響を受けることなく、安全に稼働を停止できる。クールダウンが終了すれば、ステップＳ１５へ進み、一方、クールダウンが終了していなければ、ステップＳ１４においてループしてクールダウンの終了を待つ。
【００４４】
クールダウンが終了すれば、ステップＳ１５において、プロジェクタ１の電源を切断する。電源の切断は、冷却部の停止後、ＣＰＵ５１が検出制御部５６からのスイッチ部３２による電源の切断可能状態を示す信号と、開閉制御部５５からの開閉扉８の閉状態を示す信号と、を確認してユニット制御部５３へ指示する。ユニット制御部５３は、電源部１８へ電源の切断を指示する制御を行う。以上で、プロジェクタ１が稼働を停止する場合のフローが終了する。
【００４５】
以下、実施形態の主な効果をまとめて記載する。
【００４６】
（１）プロジェクタ１は、天吊り設置時において、開閉扉８の開閉およびスイッチ部３２による電源の投入または切断を、筐体から垂れ下がったスイッチ紐１１によって操作することができる。これにより、プロジェクタ１の使用者は、筺体から離れた床位置にいるままでも、床設置のプロジェクタ１の場合とほぼ同様に、プロジェクタ１の稼動開始および稼動停止を行うことができる。スイッチ紐１１で遠隔操作することにより、プロジェクタ１は、無線等による他の遠隔操作に比べて、付加装置が安価で操作も簡便なものである。
【００４７】
（２）また、スイッチ紐１１の引張操作において、操作時にクリック感があり、使用者は、このクリック感により、遠方からでも操作がなされたことを体感し確認できる。
【００４８】
（３）プロジェクタ１は、スイッチ紐１１の引張操作により開閉扉８を確実に閉止することができ、稼働の停止時において、投射部４５への異物進入を防止することができる。これにより、プロジェクタ１は、長期に渡り投射部４５の汚れ等を防いで、鮮明な画像光の投射を維持できる。
【００４９】
また、プロジェクタ１は上記の実施形態に限定されるものではなく、次に挙げる変形例のような形態であっても、実施形態と同様な効果が得られる。
【００５０】
（変形例１）紐状部としてのスイッチ紐１１は、鎖状や剛性を有する棒状等であっても良く、材種も合成樹脂に限定されず、天然繊維や金属等であっても良い。このように、紐状部は、紐係合片３１を引っ張り操作できれば、種々の形態および材種を用いることができる。
【００５１】
（変形例２）開閉扉８は、筐体から飛び出すように回転して開閉する構成に限定されず、筐体の正面を形成する面とほぼ平行に、上下方向または左右方向に移動して投射開口７を開放または閉止する構成や、カメラシャッタのような構成であっても良い。
【００５２】
（変形例３）開閉機構部３４は、スイッチ紐１１と連動したラックによってピニオンを回転させる形式等により、扉軸１３を回転させる構成であっても良い。また、スイッチ紐１１は、スイッチ部３２のみと係合し、扉軸１３は、スイッチ部３２と連動したモータで回転する構成等であっても良い。このような種々の方法でも、スイッチ紐１１と連動して開閉扉８の開閉が行える。
【００５３】
（変形例４）プロジェクタ１は、光学変調部４４として液晶パネルを用いているが、液晶パネル以外のマイクロミラーアレイデバイス等を用いても良い。これにより、種々の光学変調部を有するプロジェクタをスイッチ紐１１によって稼働制御することができる。
【図面の簡単な説明】
【００５４】
【図１】本実施形態に係るプロジェクタを天吊り設置した状態を示す斜視図。
【図２】（ａ）天吊り設置され開閉扉が開いた状態のプロジェクタを天井側から見た斜視図、（ｂ）開閉扉が閉じた状態のプロジェクタを示す斜視図。
【図３】プロジェクタの機構部を示す斜視図。
【図４】開閉部の構成を示す斜視図。
【図５】（ａ）開閉部が開閉扉を閉じた状態を示す断面図、（ｂ）開閉部が開閉扉を開けた状態を示す断面図。
【図６】制御部の構成を示すブロック図。
【図７】プロジェクタを稼働開始させる時の手順を示すフローチャート。
【図８】プロジェクタを稼働停止させる時の手順を示すフローチャート。
【符号の説明】
【００５５】
１…プロジェクタ、２…筐体としてのカバー外装、３…筐体としての基部外装、４…光学ユニット、５…吸気口、６…排気口、７…開口部としての投射開口、９…天吊り機構部、１１…紐状部としてのスイッチ紐、１２…軸紐、１３…扉軸、１５…吸気ファン、１６…排気ファン、３０…開閉部、３１…紐係合片、３２…スイッチ部、３３…スイッチ検出部、３４…開閉機構部、３５…開閉検出部、５０…制御部、５３…ユニット制御部、５４…入出力制御部、５５…開閉制御部、５６…検出制御部。
【図１】
2009198538.tif 000003
【図２】
2009198538.tif 000004
【図３】
2009198538.tif 000005
【図４】
2009198538.tif 000006
【図５】
2009198538.tif 000007
【図６】
2009198538.tif 000008
【図７】
2009198538.tif 000009
【図８】
2009198538.tif 000010